(57)【特許請求の範囲】
【請求項１】
鋼板コンクリート構造体の端部をコンクリート構造体に接合する鋼板コンクリート構造体の接合構造において、
前記鋼板コンクリート構造体の鋼板の端部に、前記コンクリート構造体のコンクリートとの定着力を増大させるための孔部を備えた孔あき鋼板が設けられ、該孔あき鋼板が前記コンクリート構造体のコンクリート内に埋設されていることを特徴とする鋼板コンクリート構造体の接合構造。
【請求項２】
請求項１に記載の鋼板コンクリート構造体の接合構造において、
前記孔あき鋼板の孔部の内側に、前記コンクリート構造体内に埋設された鉄筋材が挿通されていることを特徴とする鋼板コンクリート構造体の接合構造。
【請求項３】
請求項１または２に記載の鋼板コンクリート構造体の接合構造において、
前記孔あき鋼板に、該孔あき鋼板及び前記鋼板コンクリート構造体の鋼板を支持する架台が付設されていることを特徴とする鋼板コンクリート構造体の接合構造。
【発明の詳細な説明】
【技術分野】
【０００１】
本発明は、鋼板コンクリート構造体の端部をコンクリート構造体に接合する鋼板コンクリート構造体の接合構造に関するものである。
【背景技術】
【０００２】
従来、例えば下記特許文献１に示すように、原子力発電所建屋（原子炉建屋やタービン建屋）などに採用される鋼板コンクリート構造（ＳＣ構造）が知られている。鋼板コンクリート構造は、鋼板とコンクリートとを組み合わせた構造であり、例えば鋼板コンクリート壁としては、２枚の鋼板の間にコンクリートが充填され、コンクリート壁の両面にそれぞれ鋼板が被覆された構造（フルＳＣ構造）の壁がある。このような鋼板コンクリート壁は、鉄筋コンクリート造の基礎スラブの上に立設されており、その壁脚部は、基礎スラブのコンクリート内から鋼板コンクリート壁のコンクリート内にかけて延在する差筋（鉄筋材）によって接合されている。また、鋼板コンクリート壁の壁脚部を基礎スラブに接合する構造としては、鋼板コンクリート壁の鋼板の下端にベースプレートを隅肉溶接し、このベースプレートを、基礎スラブのコンクリート内に定着したアンカーボルトに締結させる接合構造がある。
【先行技術文献】
【特許文献】
【０００３】
【特許文献１】特開平６−３３１７７６号公報
【発明の概要】
【発明が解決しようとする課題】
【０００４】
しかしながら、上記した従来の鋼板コンクリート構造体の接合構造では、アンカーボルトの設置作業や差筋の配筋作業を現場で行う必要があり、施工が煩雑であるという問題が存在する。
【０００５】
本発明は、上記した従来の問題が考慮されたものであり、施工を容易化することができる鋼板コンクリート構造体の接合構造を提供することを目的としている。
【課題を解決するための手段】
【０００６】
本発明に係る鋼板コンクリート構造体の接合構造は、鋼板コンクリート構造体の端部をコンクリート構造体に接合する鋼板コンクリート構造体の接合構造において、前記鋼板コンクリート構造体の鋼板の端部に、前記コンクリート構造体のコンクリートとの定着力を増大させるための孔部を備えた孔あき鋼板が設けられ、該孔あき鋼板が前記コンクリート構造体のコンクリート内に埋設されていることを特徴としている。
【０００７】
このような特徴により、コンクリート構造体のコンクリート内に埋設された孔あき鋼板を介して鋼板コンクリート構造体がコンクリート構造体に接合される。このとき、孔あき鋼板の孔部によって孔あき鋼板とコンクリート構造体のコンクリートとの付着が確保され、孔あき鋼板がコンクリート構造体のコンクリートに対して確実に定着される。
また、上記した孔あき鋼板は、工場等で鋼板コンクリート構造体の鋼板の端部に溶接したり鋼板コンクリート構造体の鋼板と一体に形成したりすることが可能であり、鋼板コンクリート構造体の端部をコンクリート構造体に接合するための部材を現場で設置する作業（アンカーボルトの設置作業や差筋の配筋作業など）が不要であるため、現場作業が軽減される。
【０００８】
また、本発明に係る鋼板コンクリート構造体の接合構造は、前記孔あき鋼板の孔部の内側に、前記コンクリート構造体内に埋設された鉄筋材が挿通されていることが好ましい。
これにより、孔あき鋼板のコンクリート構造体のコンクリートに対する定着力が向上する。特に、コンクリート構造体が鉄筋コンクリート造である場合においては、コンクリート構造体の鉄筋材を孔あき鋼板の孔部に挿通させることで、鉄筋材と孔あき鋼板との干渉が回避される。
【０００９】
また、本発明に係る鋼板コンクリート構造体の接合構造は、前記孔あき鋼板に、該孔あき鋼板及び前記鋼板コンクリート構造体の鋼板を支持する架台が付設されていることが好ましい。
これにより、コンクリート構造体のコンクリート打設前に、架台によって孔あき鋼板及び鋼板コンクリート構造体の鋼板が所望の位置に保持される。また、この架台は工場などで予め孔あき鋼板に付設させておくことが可能であるので、架台を設置する作業は不要であり、現場での作業が軽減される。
【発明の効果】
【００１０】
本発明に係る鋼板コンクリート構造体の接合構造によれば、アンカーボルトの設置作業や差筋の配筋作業などの現場作業が不要であるので、施工を容易化することができる。
【図面の簡単な説明】
【００１１】
【図１】本発明に係る鋼板コンクリート構造体の接合構造を示した断面図である。
【図２】本発明に係る鋼板コンクリート構造体の接合構造を示した断面図である。
【発明を実施するための形態】
【００１２】
以下、本発明に係る鋼板コンクリート構造体の接合構造の実施の形態について、図面に基いて説明する。
【００１３】
図１に示すように、本実施形態における鋼板コンクリート構造体の接合構造は、鋼板コンクリート壁１（鋼板コンクリート構造体）の壁脚部１０を基礎スラブ２（コンクリート構造体）の上面に接合する接合構造である。
【００１４】
基礎スラブ２は、鉄筋コンクリート造のスラブであり、その概略構成としては、コンクリート床版２０（コンクリート構造体のコンクリート）内にスラブ筋２１が埋設された構成となっている。スラブ筋２１は、鉄筋材２２を格子状に配筋した構成からなり、本実施の形態では、格子状に組まれた鉄筋材２２が上下に間隔をあけて配設されたダブル配筋となっている。
【００１５】
鋼板コンクリート壁１は、上記した基礎スラブ２の上面に立設された鋼板コンクリート構造の壁体であり、その概略構成としては、コンクリート壁１１の両側の表面がそれぞれ鋼板（ＳＣ鋼板１２，１２）で被覆された構成となっている。これらＳＣ鋼板１２，１２は平板状の鋼板であり、両側のＳＣ鋼板１２，１２は互いに平行に配設されている。
【００１６】
また、図１、図２に示すように、鋼板コンクリート壁１のＳＣ鋼板１２，１２の下端には、複数の孔部１４が形成された平板状の孔あき鋼板１３がそれぞれ垂設されている。この孔あき鋼板１３は、ＳＣ鋼板１２の下端から鉛直下方に向けて垂下されていると共にＳＣ鋼板１２の下縁に沿って延設されている。また、孔あき鋼板１３の上端は、ＳＣ鋼板１２の下端に対して突合せ溶接によって接合されており、孔あき鋼板１３は、ＳＣ鋼板１２と同一平面状に配設されている。
【００１７】
上記した孔あき鋼板１３の孔部１４は円形状の貫通孔であり、複数の孔部１４は孔あき鋼板１３全体に均一に配設されている。具体的には、複数の孔部１４は、孔あき鋼板１３の横方向及び縦方向にそれぞれ複数づつ並設されている。なお、両側の孔あき鋼板１３，１３に形成された孔部１４，１４は、互いに対向する位置に配設されている。
【００１８】
また、上記した複数の孔部１４のうち、最上段部分の孔部１４Ａには、上記したスラブ筋２１の上筋の鉄筋材２２Ａが挿通されている。この鉄筋材２２Ａは、スラブ筋２１の上筋のうち、孔あき鋼板１３に対して垂直な方向に延在する鉄筋材であり、一方の孔あき鋼板１３の孔部１４から他方の孔あき鋼板１３の孔部１４に亘って延在している。
【００１９】
また、上記した孔あき鋼板１３には、孔あき鋼板１３及びＳＣ鋼板１２を支持する架台１５が付設されている。この架台１５は、孔あき鋼板１３の両側に対称に配設された一対の脚部１６，１６からなる。脚部１６は、孔あき鋼板１３の表面部分から孔あき鋼板１３の下方に向けて突出していると共に下端にベースプレート１６ａが接合された鋼製部材であり、孔あき鋼板１３の表面に隅肉溶接などで溶接されている。
【００２０】
次に、上記した構成からなる鋼板コンクリート構造体の接合構造の施工方法について説明する。
【００２１】
まず、予め工場などで、ＳＣ鋼板１２の下端に孔あき鋼板１３を溶接しておくと共に、その孔あき鋼板１３に架台１５を溶接しておく。また、一対のＳＣ鋼板１２，１２を所定間隔で対向配置させた上で図示せぬスタッド等で繋ぎ合わせておく。
【００２２】
次に、孔あき鋼板１３が取り付けられた一対のＳＣ鋼板１２，１２を現場に搬入し、所定の壁面位置に沿って配置する。このとき、両側の孔あき鋼板１３，１３に付設された架台１５のベースプレート１６ａを接地させ、この架台１５を介して孔あき鋼板１３及びＳＣ鋼板１２，１２を支持する。これにより、孔あき鋼板１３が接地面よりも上方の位置で保持される。
【００２３】
次に、複数の鉄筋材２２を格子状に組んで基礎スラブ２のスラブ筋２１の配筋作業を行う。このとき、スラブ筋２１の上筋のうち、孔あき鋼板１３に対して垂直な方向に延在する鉄筋材２２Ａは、両側の孔あき鋼板１３，１３の孔部１４，１４の内側に挿通させて配筋する。これにより、鉄筋材２２Ａと孔あき鋼板１３，１３との干渉が回避される。
【００２４】
次に、基礎スラブ２のコンクリート打設を行ってコンクリート床版２０を形成する。これにより、コンクリート床版２０内にスラブ筋２１が埋設された基礎スラブ２が形成される。なお、このとき、コンクリートが孔あき鋼板１３の複数の孔部１４の内側にも充填される。
【００２５】
次に、両側のＳＣ鋼板１２，１２の間にコンクリートを打設してコンクリート壁１１を形成する。これにより、両側のＳＣ鋼板１２，１２の間にコンクリートが充填されて鋼板コンクリート壁１が形成される。
以上により、基礎スラブ２のコンクリート床版２０内に埋設された孔あき鋼板１３を介して鋼板コンクリート壁１の壁脚部１０が基礎スラブ２に接合される。
【００２６】
上記した鋼板コンクリート構造体の接合構造によれば、孔部１４内に基礎スラブ２のコンクリートが充填されるので、孔あき鋼板１３の孔部１４によって孔あき鋼板１３とコンクリート床版２０との付着が確保され、孔あき鋼板１３がコンクリート床版２０に対して確実に定着される。これにより、鋼板コンクリート壁１の壁脚部１０を基礎スラブ２に強固に接合することができる。
【００２７】
また、上記した鋼板コンクリート構造体の接合構造によれば、予め工場等でＳＣ鋼板１２に孔あき鋼板１３を溶接しており、アンカーボルトの設置作業や差筋の配筋作業などの現場作業が不要であるので、現場作業が軽減され、施工を容易化することができる。
【００２８】
また、上記した鋼板コンクリート構造体の接合構造によれば、基礎スラブ２のスラブ筋２１の鉄筋材２２Ａが孔あき鋼板１３の孔部１４内に挿通され、鉄筋材２２Ａと孔あき鋼板１３との干渉が回避されているので、鉄筋材２２Ａを孔あき鋼板１３の箇所で切断したしたり屈曲させたりする必要がなく、鉄筋配筋作業を容易に行うことができる。また、孔あき鋼板１３の孔部１４内に鉄筋材２２Ａが挿通されることで、孔あき鋼板１３のコンクリート床版２０に対する定着力が向上するため、鋼板コンクリート壁１の壁脚部１０を基礎スラブ２に強固に接合することができる。
【００２９】
また、孔あき鋼板１３に架台１５が付設されており、この架台１５によって基礎スラブ２のコンクリート打設前に孔あき鋼板１３及びＳＣ鋼板１２が所定の高さ位置に保持されるので、ＳＣ鋼板１２の設置作業を容易に行うことができる。また、架台１５は、工場等で予め孔あき鋼板１３に取り付けておくため、現場で架台１５を設置する作業が不要であり、現場作業を軽減することができる。
【００３０】
以上、本発明に係る鋼板コンクリート構造体の接合構造の実施の形態について説明したが、本発明は上記した実施の形態に限定されるものではなく、その趣旨を逸脱しない範囲で適宜変更可能である。
例えば、孔あき鋼板１３のコンクリート床版２０（コンクリート構造体のコンクリート）に対する定着力が足りない場合には、孔あき鋼板１３のコンクリート床版２０に対する定着長さを長くしたり、孔部１４の数を増やしたりすることが可能である。さらに、本発明は、孔あき鋼板１３の孔部１４に定着用鉄筋材を挿通させたり、孔あき鋼板１３にスタッドを突設させたりすることで、孔あき鋼板１３の定着力を増大させることができる。
【００３１】
また、上記した実施の形態では、鋼板コンクリート壁１のＳＣ鋼板１２の下端に孔あき鋼板１３が突合せ溶接によって接合されているが、本発明は、鋼板コンクリート構造体の鋼板と孔あき鋼板とがボルト接合された構成であってもよく、或いは、鋼板コンクリート構造体の鋼板と孔あき鋼板とが一体に形成された構成であってもよい。
【００３２】
また、上記した実施の形態では、鋼板コンクリート壁１の壁脚部１０を鉄筋コンクリート造の基礎スラブ２に接合する接合構造について説明しているが、本発明は、鋼板コンクリート壁１の壁脚部１０を基礎スラブ２以外のコンクリート構造体に接合させてもよく、例えば、鋼板コンクリート壁１の壁脚部１０を梁や中間階のスラブに接合させることも可能である。なお、鋼板コンクリート構造体が接合されるコンクリート構造体としては、鉄筋コンクリート造の構造体に限らず、他のコンクリート構造体であってもよく、例えば、鉄骨鉄筋コンクリート造の構造体であってもよく、また、鋼板コンクリート構造体同士を接合する構成であってもよい。
【００３３】
さらに、本発明における鋼板コンクリート構造体は壁体以外の構造体であってもよい。例えば、筒状の鋼板（鋼管）の内側にコンクリートが充填された構造の鋼板コンクリート柱をコンクリートスラブやコンクリート基礎に接合する接合構造であってもよく、或いは、コンクリート梁の両側の側面及び梁底面に鋼板が被覆された構造の鋼板コンクリート梁をコンクリート柱に接合する接合構造であってもよく、或いは、コンクリートスラブの底面に鋼板が被覆された構造の鋼板コンクリートスラブをコンクリート梁やコンクリート壁に接合する構造であってもよい。
【００３４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３５】
１  鋼板コンクリート壁（鋼板コンクリート構造体）
２  基礎スラブ（コンクリート構造体）
１２  ＳＣ鋼板（鋼板）
１３  孔あき鋼板
１４  孔部
１５  架台
２０  コンクリート床版（コンクリート構造体のコンクリート）
２２Ａ  鉄筋材
【図１】
0005870443.tif 000002
【図２】
0005870443.tif 000003